(57)【要約】【課題】  サブピクセルの配列順序が異なってもその配列順序に対応してレイアウトを別々に設計する必要がない表示装置及び電子機器を提供する。【解決手段】  表示パネル部２に形成された第１〜第Ｍ赤色用データ入力ポートＰＲ１〜ＰＲＭから対応する第１〜第Ｍ赤色サブピクセル５Ｒ１〜５ＲＭをみた入力インピーダンスを、第１〜第Ｍ青色用データ入力ポートＰＢ１〜ＰＢＭから対応する第１〜第Ｍ青色サブピクセル５Ｂ１〜５ＢＭをみた入力インピーダンスと等しくなるようにした。また、赤色用電源入力ポートＩＲから各第１〜第Ｍ赤色サブピクセル５Ｒ１〜５ＲＭをみた入力インピーダンスを、青色用電源入力ポートＩＢから各第１〜第Ｍ青色サブピクセル５Ｂ１〜５ＢＭをみた入力インピーダンスと等しくなるようにした。【選択図】  図２
2005331570.tif 000002
【特許請求の範囲】
【請求項１】
走査線とデータ線と電源線と、走査線及びデータ線に対応して配置された所定の異なる色の光を出射する複数種の画素と、前記データ線に接続され前記複数種の画素に対応した輝度データを入力するデータ入力端子と、前記電源線に接続され前記複数種の画素に対応した電源を入力する電源入力端子と、を表示パネル上に備えた表示装置において、
前記複数種の画素のうちのある所定の画素に対応して配置された前記データ線に接続された前記データ入力端子から対応する前記所定の画素をみた入力インピーダンスは、他の複数種の画素に対応して配置された他のデータ線に接続された他のデータ入力端子から対応する画素の入力インピーダンスと等しく、
前記複数種の画素のうちのある所定の画素に対応して配置された前記電源線に接続された前記電源入力端子から対応する前記所定の画素をみた入力インピーダンスは、他の複数種の画素に対応して配置された他の電源線に接続された他の電源入力端子から対応する画素の入力インピーダンスと等しいことを特徴とする表示装置。
【請求項２】
請求項１に記載の表示装置において、
前記複数種の画素のうちのある所定の画素に対応して配置された前記データ線または前記電源線の配線幅は、他の複数種の画素に対応して配置された他のデータ線または電源線の配線幅と同じであることを特徴とする表示装置。
【請求項３】
請求項１に記載の表示装置において、
前記各電源線は、前記表示パネル上の周囲に設けられる前記複数種の画素に対応した周囲部配線を介して前記電源入力端子に接続されていることを特徴とする表示装置。
【請求項４】
請求項１乃至３のいずれか一つに記載の表示装置において、
前記表示パネルを複数枚張り合わせてなる構造を有したことを特徴とする表示装置。
【請求項５】
請求項１乃至４のいずれか一つに記載の表示装置において、
前記所定の異なる色は、赤、緑、及び青色であることを特徴とする表示装置。
【請求項６】
請求項１乃至５のいずれか一つに記載の表示装置において、
前記画素は、その発光層が有機材料で構成されていることを特徴とする表示装置。
【請求項７】
請求項１乃至６のいずれか一つに記載の表示装置を備えたことを特徴とする電子機器。
【発明の詳細な説明】
【技術分野】
【０００１】
本発明は、表示装置及び電子機器に関するものである。
【背景技術】
【０００２】
近年、表示装置として液晶表示装置、有機エレクトロルミネッセンス表示装置等が注目されている。特に、有機エレクトロルミネッセンス表示装置（以下、有機ＥＬディスプレイという）は、液晶表示装置に比べて高速応答化及び広視野角化が可能であるため、その開発が盛んに行われている。
【０００３】
たとえば、フルカラー表示可能な有機ＥＬディスプレイは、一般的に、赤色の光を出射するサブピクセル、緑色の光を出射するサブピクセル、青色の光を出射するサブピクセルで１つのピクセルが構成され、たとえば、走査線方向に沿って赤色サブピクセル→緑色サブピクセル→青色サブピクセルの順に配置されている。
【０００４】
そして、各サブピクセルは、その色に応じたデータ信号を出力する専用のデータ線を介してデータ線駆動回路に接続されている。即ち、その各データ線は、主に、その赤色の光を出射する赤色用有機エレクトロルミネッセンス発光材料の特性、緑色の光を出射する緑色用有機エレクトロルミネッセンス発光材料の特性、青色の光を出射する青色用有機エレクトロルミネッセンス発光材料の特性、各種配線抵抗及び配線に寄生する容量等により、赤、緑、青色毎に異なった入力インピーダンスを有する。従って、サブピクセルの配列順序が異なれば、そのサブピクセルの配列順序に応じて有機ＥＬディスプレイのレイアウトを別々に設計する必要がある。
【０００５】
また、小型の有機ＥＬ素子基板を複数枚張り合わせて１枚の大型のフルカラー表示可能な有機ＥＬディスプレイを製造する技術が提案されている（特許文献１）。
【特許文献１】特開２００１−１００６６８号公報
【発明の開示】
【発明が解決しようとする課題】
【０００６】
従って、上記特許文献１に記載されたように、小型の有機ＥＬ素子基板を複数枚張り合わせて１枚の大型のフルカラー表示可能な有機ＥＬディスプレイを製造する場合においても、各サブピクセルの配列順序が異なれば、それに対応した表示装置のレイアウトを別々に設計する必要がある。この結果、製造コストが掛かってしまうという問題があった。
【０００７】
本発明は上記問題点を解消するためになされたものであって、その目的は、サブピクセルの配列順序が異なってもその配列順序に対応してレイアウトを別々に設計する必要がない表示装置及び電子機器を提供することにある。
【課題を解決するための手段】
【０００８】
本発明の表示装置は、走査線とデータ線と電源線と、走査線及びデータ線に対応して配置された所定の異なる色の光を出射する複数種の画素と、前記データ線に接続され前記複数種の画素に対応した輝度データを入力するデータ入力端子と、前記電源線に接続され前記複数種の画素に対応した電源を入力する電源入力端子と、を表示パネル上に備えた表示装置において、前記複数種の画素のうちのある所定の画素に対応して配置された前記データ線に接続された前記データ入力端子から対応する前記所定の画素をみた入力インピーダンスは、他の複数種の画素に対応して配置された他のデータ線に接続された他のデータ入力端子から対応する画素の入力インピーダンスと等しく、前記複数種の画素のうちのある
所定の画素に対応して配置された前記電源線に接続された前記電源入力端子から対応する前記所定の画素をみた入力インピーダンスは、他の複数種の画素に対応して配置された他の電源線に接続された他の電源入力端子から対応する画素の入力インピーダンスと等しい。
【０００９】
これによれば、たとえば、赤、緑、青用画素を備えたフルカラー表示可能な表示装置において、赤色画素に対応して配置された赤色用データ線に接続されたデータ入力端子から対応する前記赤色画素の入力インピーダンスが、他の緑または青色用データ入力端子から対応する緑または青色画素の入力インピーダンスと等しい。また、赤色画素に対応して配置された赤色用電源線に接続された電源入力端子から対応する前記赤色画素の入力インピーダンスが、他の緑または青色用電源入力端子から対応する緑または青色画素の入力インピーダンスと等しい。
【００１０】
これにより、赤色用データ線、緑色用データ線、青色用データ線を区別して使用する必要はない。従って、たとえば、赤色の画素の素子特性と青色の画素の素子特性とが等しい場合、赤色の画素を駆動させる電気回路構成と青色の画素を駆動させる電気回路構成とは等価になる。この結果、赤色画素と青色画素の配列順序が異なった表示装置を製造する際、それに対応した表示装置のレイアウトを別々に設計する必要はない。この結果、製造コストを低減させることが可能となる。
【００１１】
この表示装置において、前記複数種の画素のうちのある所定の画素に対応して配置された前記データ線または前記電源線の配線幅は、他の複数種の画素に対応して配置された他のデータ線または電源線の配線幅と同じであってもよい。
【００１２】
これによれば、複数種の画素の各データ線の配線幅を同じにすることで、容易にデータ入力端子から対応する画素の入力インピーダンスを他のデータ入力端子から対応する画素の入力インピーダンスと同じにすることが可能となる。また、複数種の画素の各電源線の配線幅を同じにすることで、容易に電源入力端子から対応する画素の入力インピーダンスを他の電源入力端子から対応する画素の入力インピーダンスと同じにすることが可能となる。
【００１３】
この表示装置において、前記各電源線は、前記表示パネル上の周囲に設けられる前記複数種の画素に対応した周囲部配線を介して前記電源入力端子に接続されていてもよい。
これによれば、周囲に周囲部配線が形成された表示パネルにおいて、各色画素の配列順序が異なった表示装置を製造する際、それに対応した表示装置のレイアウトを別々に設計する必要はない。この結果、製造コストを低減させることが可能となる。
【００１４】
この表示装置において、前記表示パネルを複数枚張り合わせてなる構造を有してもよい。
これによれば、複数の表示パネルを張り合わせて構成された大型の表示装置における各表示パネルを互いに同じレイアウトで構成することができる。従って、表示装置の製造コストを低減させることができる。さらに、表示装置の構造を共通化できるため、各表示パネルを張り合わせた場合の各表示装置の表示特性を各表示パネル間で均一にさせることができる。
【００１５】
この表示装置において、前記所定の異なる色は、赤、緑、及び青色であってもよい。
これによれば、フルカラー表示可能な表示装置において、その複数種の画素の配置順序が異なった表示パネルを同じレイアウトで構成することができる。
【００１６】
この表示装置において、前記画素は、その発光層が有機材料で構成されていてもよい。
これによれば、複数種の画素の配置順序が異なった、有機ＥＬディスプレイの表示パネルを同じレイアウトで構成することができる。
【００１７】
本発明の電子機器は、上記記載の表示装置を備えている。
これによれば、複数種の画素の配置順序が異なった表示パネル同士を同じレイアウトで構成された表示パネルを備えたので、その製造コストが低減された電子機器を提供することができる。また、複数の表示パネルを張り合わせて構成された大型の表示装置を備えた電子機器に対して、その表示装置の構造を共通化できるため、各表示装置の表示特性が均一となる。従って、高表示品位な画像を表示させることが可能となる。
【発明を実施するための最良の形態】
【００１８】
（第１実施形態）、
以下、本発明の表示装置を有機ＥＬディスプレイに適用した第１実施形態を図１〜図５に従って説明する。尚、以下に示す各図においては、各部材を図面上で認識可能な程度の大きさとするため、各部材ごとに縮尺を異ならせてある。
【００１９】
図１は、有機ＥＬディスプレイの全体構成を説明するための図であり、図２は、その表示パネル部の電気的構成を説明するための図である。図１に示すように、有機ＥＬディスプレイ１は、表示パネル部２、走査線駆動回路３、データ線駆動回路４及び制御回路ＣＣを備えている。有機ＥＬディスプレイ１は、フルカラー表示可能なディスプレイである。
【００２０】
図２に示すように、表示パネル部２は、その略中央部に表示エリアＲが、その周囲に位置する該表示エリアＲの下側（図２中Ｙ矢印方向側）に非表示エリアＱがそれぞれも設けられている。
【００２１】
表示エリアＲ上には、それぞれＭ×Ｎ個の赤色画素（以下、「赤色サブピクセル」という）５Ｒ、緑色画素（以下、「緑色サブピクセル」という）５Ｇ、及び、青色画素（以下、「青色サブピクセル」という）５Ｂがマトリクス状に配置されている。
【００２２】
詳しくは、図２に示すように表示エリアＲを非表示エリアＱより上側（図２中反Ｙ矢印方向側）になるように配置した状態で、赤、緑及び青色サブピクセル５Ｒ，５Ｇ，５Ｂは、図２中左側部側から右側部側に向かって、即ち、行方向（図２中Ｘ矢印方向）に、赤色サブピクセル５Ｒ→緑色サブピクセル５Ｇ→青色サブピクセル５Ｂ→赤色サブピクセル５Ｒ→緑色サブピクセル５Ｇ→青色サブピクセル５Ｂ→・・・→赤色サブピクセル５Ｒ→緑色サブピクセル５Ｇ→青色サブピクセル５Ｂの順序で配置されている。また、図２中上側部側から下側部側に向かって、即ち、列方向（図２中Ｙ矢印方向）に、同色サブピクセル５Ｒ，５Ｇ，５Ｂが配置されている。各赤、緑及び青色サブピクセル５Ｒ，５Ｇ，５Ｂは、互いに等ピッチに配置されている。そして、行方向（図２中Ｘ矢印方向）に沿って隣接して配置された赤色サブピクセル５Ｒ、緑色サブピクセル５Ｇ及び青色サブピクセル５Ｂで一組のピクセル５が構成されている。
【００２３】
なお、ここで、説明の便宜上、各列のＮ個の赤色サブピクセル５Ｒについて、左側の列から、第１赤色サブピクセル５Ｒ１、第２赤色サブピクセル５Ｒ２、…、第Ｍ赤色サブピクセル５ＲＭという。同様に、緑色サブピクセル５Ｇについて、左側の列から、第１緑色サブピクセル５Ｇ１、第２緑色サブピクセル５Ｇ２、…、第Ｍ緑色サブピクセル５ＧＭという。また、青色サブピクセル５Ｂについて、左側の列から、第１青色サブピクセル５Ｂ１、第２青色サブピクセル５Ｂ２、…、第Ｍ青色サブピクセル５ＢＭという。
【００２４】
また、表示エリアＲ上には、その一部が非表示エリアＱに引き出されるようにして、図２中Ｙ矢印方向に沿って、それぞれＭ本の赤色用データ線ＸＲ１，ＸＲ２，…，ＸＲＭ、
緑色用データ線ＸＧ１，ＸＧ２，…，ＸＧＭ、青色用データ線ＸＢ１，ＸＢ２，…，ＸＢＭが形成されている。各データ線は、図２中Ｘ矢印方向に、第１赤色用データ線ＸＲ１→第１緑色用データ線ＸＧ１→第１青色用データ線ＸＢ１→第２赤色用データ線ＸＲ２→第２緑色用データ線ＸＧ２→第２青色用データ線ＸＢ２→・・の順序で配置されている。
【００２５】
そして、各赤色用データ線ＸＲ１〜ＸＲＭは、それぞれ対応する列の赤色サブピクセル５Ｒ１〜５ＲＭに接続されている。また、各緑色用データ線ＸＧ１〜ＸＧＭは、それぞれ対応する列の緑色サブピクセル５Ｇ１〜５ＧＭに接続されている。さらに、各青色用データ線ＸＢ１〜ＸＢＭは、それぞれ対応する列の青色サブピクセル５Ｂ１〜５ＢＭに接続されている。
【００２６】
さらに、表示エリアＲ上には、その一部が非表示エリアＱに引き出されるようにして、図２中Ｙ矢印方向に沿って、それぞれＭ本の赤色用電源線ＣＲ１，ＣＲ２，…，ＣＲＭ、緑色用電源線ＣＧ１，ＣＧ２，…，ＣＧＭ、青色用電源線ＣＢ１，ＣＢ２，…，ＣＢＭが形成されている。各電源線は、図２中Ｘ矢印方向に、第１赤色用電源線ＣＲ１→第１緑色用電源線ＣＧ１→第１青色用電源線ＣＢ１→第２赤色用電源線ＣＲ２→第２緑色用電源線ＣＧ２→第２青色用電源線ＣＢ２→・・・の順序で配置されている。
【００２７】
そして、各赤色用電源線ＣＲ１〜ＣＲＭは、それぞれ対応する列の赤色サブピクセル５Ｒ１〜５ＲＭに接続されている。また、各緑色用電源線ＣＧ１〜ＣＧＭは、それぞれ対応する列の緑色サブピクセル５Ｇ１〜５ＧＭに接続されている。さらに、各青色用電源線ＣＢ１〜ＣＢＭは、それぞれ対応する列の青色サブピクセル５Ｂ１〜５ＢＭに接続されている。
【００２８】
また、表示エリアＲ上には、行方向（図２中Ｘ矢印方向）に沿って、Ｎ本の走査線（図３参照）Ｙが形成されている。つまり、各走査線は、各色用データ線ＸＲ１〜ＸＲＭ，ＸＧ１〜ＸＧＭ，ＸＢ１〜ＸＢＭに直交するように形成され、その各走査線Ｙとデータ線ＸＲ１〜ＸＲＭ，ＸＧ１〜ＸＧＭ，ＸＢ１〜ＸＢＭとの交差部にそれぞれ赤、緑及び青色サブピクセル５Ｒ，５Ｇ，５Ｂが配置されている。
【００２９】
各走査線Ｙは、その対応する行方向（図２中Ｘ矢印方向）に沿って配置された赤、緑及び青色サブピクセル５Ｒ，５Ｇ，５Ｂを１組としたＭ個のピクセル５群に接続されている。また、各走査線Ｙは表示エリアＲから引き出され、走査線駆動回路３に接続されている。これにより、各走査線Ｙに接続されたＭ個のピクセル５には、走査線駆動回路３から出力される対応する走査信号ＳＣ１〜ＳＣＮ（図１参照）が供給される。
【００３０】
一方、非表示エリアＱ上には、外部データ入力ポート６が形成されている。外部データ入力ポート６は、それぞれＭ個の赤色用入力ポートＰＲ１，ＰＲ２，…，ＰＲＭ、緑色用入力ポートＰＧ１，ＰＧ２，…，ＰＧＭ、及び青色用入力ポートＰＢ１，ＰＢ２，…，ＰＢＭを備えている。そして、各入力ポートは、図２中Ｘ矢印方向に、第１赤色用入力ポートＰＲ１→第１緑色用入力ポートＰＧ１→第１青色用入力ポートＰＢ１→第２赤色用入力ポートＰＲ２→第２緑色用入力ポートＰＧ２→第２青色用入力ポートＰＢ２→・・・の順序で配置形成されている。
【００３１】
各赤色用入力ポートＰＲ１〜ＰＲＭは、それぞれ対応する列の赤色サブピクセル５Ｒ１〜５ＲＭに赤色用データ信号ＤＲ１〜ＤＲＭを入力するための専用の入力ポートである。各緑色用入力ポートＰＧ１〜ＰＧＭは、それぞれ対応する列の緑色サブピクセル５Ｇ１〜５ＧＭに緑色用データ信号ＤＧ１〜ＤＧＭを入力するための専用の入力ポートである。各青色用入力ポートＰＢ１〜ＰＢＭは、それぞれ対応する列の青色サブピクセル５Ｂ１〜５ＢＭに青色用データ信号ＤＢ１〜ＤＢＭを入力するための専用の入力ポートである。
【００３２】
そして、各赤色用入力ポートＰＲ１〜ＰＲＭは、それぞれ対応する赤色用データ線ＸＲ１〜ＸＲＭと接続されている。また、各緑色用入力ポートＰＧ１〜ＰＧＭは、それぞれ対応する緑色用データ線ＸＧ１〜ＸＧＭと接続されている。さらに、各青色用入力ポートＰＢ１〜ＰＢＭは、それぞれ対応する青色用データ線ＸＢ１〜ＸＢＭと接続されている。
【００３３】
また、非表示エリアＱ上には、図２中Ｘ矢印方向に、赤色用電源供給線ＬＲ、緑色用電源供給線ＬＧ及び青色用電源供給線ＬＢが形成されている。各電源供給線ＬＲ，ＬＧ，ＬＢの図２中左側端部には、赤、緑及び青色用電源入力ポートＩＲ，ＩＧ，ＩＢが設けられている。赤色用電源入力ポートＩＲには、赤色サブピクセル５Ｒを駆動させるための所定レベルを有した赤色用電源ＶＲが供給される。緑色用電源入力ポートＩＧには、緑色サブピクセル５Ｇを駆動させるための所定レベルを有した緑色用電源ＶＧが供給される。青色用電源入力ポートＩＢには、青色サブピクセル５Ｂを駆動させるための所定レベルを有した青色用電源ＶＢが供給される。
【００３４】
そして、赤色用電源供給線ＬＲには、表示エリアＲから引き出された赤色用電源線ＣＲ１〜ＣＲＭが接続されている。また、緑色用電源供給線ＬＧには、表示エリアＲから引き出された緑色用電源線ＣＧ１〜ＣＧＭが接続されている。同様に、青色用電源供給線ＬＢには、表示エリアＲから引き出された青色用電源線ＣＲ１〜ＣＲＭが接続されている。
【００３５】
これにより、赤色サブピクセル５Ｒには、赤色用電源供給線ＬＲ及び赤色用電源線ＣＲ１〜ＣＲＭを介して赤色用電源ＶＲが供給される。また、緑色サブピクセル５Ｇには、緑色用電源供給線ＬＧ及び緑色用電源線ＣＧ１〜ＣＧＭを介して緑色用電源ＶＧが供給される。さらに、青色サブピクセル５Ｂには、青色用電源供給線ＬＢ及び青色用電源線ＣＢ１〜ＣＢＭを介して青色用電源ＶＢが供給される。
【００３６】
走査線駆動回路３は、図１に示すように、表示パネル部２の一側（図１中左側）に形成されている。走査線駆動回路３は、ＨレベルまたはＬレベルの走査信号ＳＣ１〜ＳＣＮを生成する。また、走査線駆動回路３は、制御回路ＣＣと電気的に接続され、同制御回路ＣＣから出力される垂直同期信号ＶＳＹＮＣ及び水平同期信号ＨＳＹＮＣを入力する。そして、走査線駆動回路３は、垂直同期信号ＶＳＹＮＣのタイミングで所定の走査線のみにＨレベルの走査信号を出力することで、その所定の走査線を選択する。そして、走査線駆動回路３は、予め定められた順序で各走査線Ｙを順次選択する。
【００３７】
データ線駆動回路４は、図示しない外部装置からデジタル信号である輝度データ信号ＤＴを入力する。輝度データ信号Ｄは、各赤、緑及び青色サブピクセル５Ｒ，５Ｇ，５Ｂの発光輝度を決定する信号である。データ線駆動回路４は、入力された輝度データ信号Ｄをアナログ信号である赤色用データ信号ＤＲ１〜ＤＲＭ、緑色用データ信号ＤＧ１〜ＤＧＭ及び青色用データ信号ＤＢ１〜ＤＢＭに変換する。
【００３８】
また、データ線駆動回路４は、制御回路ＣＣと電気的に接続され、同制御回路ＣＣから出力される水平同期信号ＨＳＹＮＣを入力する。データ線駆動回路４は、赤色用データ信号ＤＲ１〜ＤＲＭを対応する赤色用入力ポートＰＲ１〜ＰＲＭに、緑色用データ信号ＤＧ１〜ＤＧＭを対応する緑色用入力ポートＰＧ１〜ＰＧＭに、青色用データ信号ＤＢ１〜ＤＢＭを対応する青色用入力ポートＰＢ１〜ＰＢＭにそれぞれ水平同期信号ＨＳＹＮＣのタイミングで一斉に出力する。
【００３９】
制御回路ＣＣは、図示しない外部装置から供給されるクロック信号に応じて垂直同期信号ＶＳＹＮＣ及び水平同期信号ＨＳＹＮＣを生成する。制御回路ＣＣは、その生成した垂直同期信号ＶＳＹＮＣ及び水平同期信号ＨＳＹＮＣを走査線駆動回路３へ出力するととも
に、水平同期信号ＨＳＹＮＣをデータ線駆動回路４へ出力する。
【００４０】
次に、表示エリアＲ上に形成された赤、緑及び青色サブピクセル５Ｒ，５Ｇ，５Ｂの回路構成について、図３に従って説明する。尚、各色サブピクセル５Ｒ，５Ｇ，５Ｂは、その全てが同じ回路構成であるので、以下、説明の便宜上、第１赤色用データ線ＸＲ１と図２中上側部の行に沿って形成された走査線Ｙ（Ｙ１）との交差部に配置された赤色サブピクセル５Ｒ１の回路構成図についてのみ説明し、他のサブピクセルの回路構成の詳細な説明は省略する。
【００４１】
図３に示すように、赤色サブピクセル５Ｒ１は、有機ＥＬ素子ＯＬＥＤ、駆動トランジスタＱｄ、スイッチングトランジスタＱｓｗ及び保持キャパシタＣｏを備えている。有機ＥＬ素子ＯＬＥＤは、その発光層（図示略）が有機材料で構成されたエレクトロルミネッセンス素子であって、同有機ＥＬ素子ＯＬＥＤの陽極Ｅ１と陰極Ｅ２との間に流れ込む電流（以下、「駆動電流」という）ＩＯＬＥＤの電流レベルに応じた輝度で赤色に発光する。また、駆動トランジスタＱｄはその導電型がＰ型の薄膜トランジスタ（ＴＦＴ）であり、スイッチングトランジスタＱｓｗは、その導電型がＮ型の薄膜トランジスタ（ＴＦＴ）である。
【００４２】
駆動トランジスタＱｄは、そのドレインが有機ＥＬ素子ＯＬＥＤの陽極Ｅ１に接続されている。有機ＥＬ素子ＯＬＥＤの陰極Ｅ２は接地されている。駆動トランジスタＱｄのソースは第１赤色用電源線ＣＲ１に接続されて、同駆動トランジスタＱｄのソース／ドレイン間に赤色用電源ＶＲが供給される。駆動トランジスタＱｄのゲートは、スイッチングトランジスタＱｓｗのドレインに接続されている。スイッチングトランジスタＱｓｗのソースは、第１赤色用データ線ＸＲ１に接続されている。また、スイッチングトランジスタＱｓｗのゲートは、第１走査線Ｙ１に接続されている。また、駆動トランジスタＱｄのソース／ゲート間には、保持キャパシタＣｏが接続されている。
【００４３】
従って、第１走査線Ｙ１にＨレベルの電圧信号（Ｈレベルの走査信号ＳＣ１）が供給されるとスイッチングトランジスタＱｓｗがオン状態になり、駆動トランジスタＱｄのゲートと第１赤色用データ線ＸＲ１とが電気的に導通状態となる。これにより、駆動トランジスタＱｄのゲートに第１赤色用データ信号ＤＲ１が印加されるとともに、保持キャパシタＣｏに同データ信号ＤＲ１に応じた電荷が書き込まれる。この結果、駆動トランジスタＱｄのソース／ドレイン間の導電率が第１赤色用データ信号ＤＲ１に応じて変化し、第１赤色用データ信号ＤＲ１の電圧レベルに応じた駆動電流ＩＯＬＥＤが有機ＥＬ素子ＯＬＥＤに供給される。これにより、有機ＥＬ素子ＯＬＥＤは、その駆動電流ＩＯＬＥＤの電流レベルに応じた輝度で発光する。
【００４４】
この状態から、走査線Ｙ１にＬレベルの電圧信号（Ｌレベルの走査信号ＳＣ１）が供給されるとスイッチングトランジスタＱｓｗがオフ状態になり、駆動トランジスタＱｄのゲートと第１赤色用データ線ＸＲ１とが電気的に遮断状態となる。すると、保持キャパシタＣｏに書き込まれた電荷が保持される。これにより、駆動トランジスタＱｄのゲート電圧は、第１赤色用データ信号ＤＲ１が印加され続け、駆動トランジスタＱｄのソース／ドレイン間に駆動電流ＩＯＬＥＤが流れ続ける。従って、有機ＥＬ素子ＯＬＥＤは、スイッチングトランジスタＱｓｗがオフ状態の後もデータ信号ＤＲ１に応じた輝度で発光し続ける。
【００４５】
その後、再び、スイッチングトランジスタＱｓｗがオン状態になると、駆動トランジスタＱｄのゲートと第１赤色用データ線ＸＲ１とが電気的に導通状態となる。そして、第１赤色用データ線ＸＲ１からの新たな第１赤色用データ信号ＤＲ１に応じた駆動電流ＩＯＬＥＤが有機ＥＬ素子ＯＬＥＤに流れ込み、その駆動電流ＩＯＬＥＤの電流レベルに応じた
輝度で発光する。また、この新たな第１赤色用データ信号ＤＲ１に応じた電荷が保持キャパシタＣｏに書き込まれ、スイッチングトランジスタＱｓｗがオフ状態の後も、第１赤色用データ信号ＤＲ１に応じた輝度で発光し続ける。
【００４６】
そして、走査線駆動回路３が所定の順序で走査線を順次選択し、それに同期してデータ線駆動回路４がその選択された走査線に接続された赤、緑及び青色サブピクセル５Ｒ，５Ｇ，５Ｂへ一斉に赤色用データ信号ＤＲ１〜ＤＲＭ、緑色用データ信号ＤＧ１〜ＤＧＭ及び青色用データ信号ＤＢ１〜ＤＢＭを出力する。これにより、赤、緑及び青色サブピクセル５Ｒ，５Ｇ，５Ｂは、赤色用データ信号ＤＲ１〜ＤＲＭ、緑色用データ信号ＤＧ１〜ＤＧＭ及び青色用データ信号ＤＢ１〜ＤＢＭに応じた輝度で各色の光を出射し、その結果、表示パネル部２上に所望の画像が表示される。
【００４７】
次に、上記のように構成された表示パネル部２の電気的等価回路を図４に示す。
図４は、図２に示した表示パネル部２に対応した電気的等価回路である。表示パネル部２上の左側端部の列方向（図４中Ｙ矢印方向）に沿って配置された有機ＥＬ素子ＯＬＥＤ（網掛けで示した領域Ｃ１内に配置された有機ＥＬ素子ＯＬＥＤ）は、図２中のＮ個の第１赤色サブピクセル５Ｒ１の有機ＥＬ素子ＯＬＥＤを示している。また、その左側部の列方向（図４中Ｙ矢印方向）に沿って配置された有機ＥＬ素子ＯＬＥＤの右側に隣接して列方向（図４中Ｙ矢印方向）に沿って配置された有機ＥＬ素子ＯＬＥＤ（網掛けで示した領域Ｃ２内に配置された有機ＥＬ素子ＯＬＥＤ）は、図２中のＮ個の第１緑色サブピクセル５Ｇ１の有機ＥＬ素子ＯＬＥＤを示している。
【００４８】
さらに、前記した表示パネル部２上の左側部の列方向（図４中Ｙ矢印方向）に沿って配置された有機ＥＬ素子ＯＬＥＤから数えて右側２列目に図４中Ｙ矢印方向に沿って配置された有機ＥＬ素子ＯＬＥＤ（網掛けで示した領域Ｃ３内に配置された有機ＥＬ素子ＯＬＥＤ）は、図２中の第１青色サブピクセル５Ｂ１の有機ＥＬ素子ＯＬＥＤを示している。
【００４９】
回路中、画素内赤色用データ線インピーダンスＺＳＲは、各赤色用データ線ＸＲ１〜ＸＲＭにおける１個の赤色サブピクセル５Ｒ当たりのインピーダンスであって、１個の赤色サブピクセル５Ｒ当たりの赤色用データ線の抵抗と、該データ線ＸＲ１に寄生する他の各配線との交差面積に基づいた容量とからなる。
【００５０】
画素内赤色用電源線インピーダンスＺＶＲは、各赤色用電源線ＣＲ１〜ＣＲＭにおける１個の赤色サブピクセル５Ｒ当たりのインピーダンスであって、赤色用電源線の抵抗と、該電源線に寄生する他の各配線との交差面積に基づいた容量とからなる。
【００５１】
また、画素内緑色用電源線インピーダンスＺＶＧは，画素内赤色用データ線インピーダンスＺＳＲと同様に、各緑色用データ線ＸＧ１〜ＸＧＭにおける１個の緑色サブピクセル５Ｇ当たりのインピーダンスである。画素内緑色用電源線インピーダンスＺＶＧは、画素内赤色用電源線インピーダンスＺＶＲと同様に、各緑色用電源線ＣＧ１〜ＣＧＭにおける１個の緑色サブピクセル５Ｇ当たりのインピーダンスである。
【００５２】
画素内青色用データ線インピーダンスＺＳＢは、画素内赤色用データ線インピーダンスＺＳＲと同様に、各青色用データ線ＸＢ１〜ＸＢＭにおける１個の青色サブピクセル５Ｂ当たりのインピーダンスである。画素内青色用電源線インピーダンスＺＶＢは、画素内赤色用電源線インピーダンスＺＶＲと同様に、各青色用電源線ＣＢ１〜ＣＢＭにおける１個の青色サブピクセル５Ｂ当たりのインピーダンスである。
【００５３】
周辺赤色用電源線インピーダンスＺＶＲＬは、赤色用電源供給線ＬＲの各列の赤色サブピクセル５Ｒ当たり各抵抗と、該電源供給線ＬＲに寄生する他の配線との交差面積に基づ
いた容量とからなるインピーダンスである。周辺緑色用電源線インピーダンスＺＶＧＬは、
周辺赤色用電源線インピーダンスＺＶＲＬと同様に、緑色用電源供給線ＬＧに対するインピーダンスである。周辺青色用電源線インピーダンスＺＶＢＬは、周辺赤色用電源線インピーダンスＺＶＲＬと同様に、青色用電源供給線ＬＢに対するインピーダンスである。
【００５４】
赤色用データ入力ポートインピーダンスＺＳＲＰは、各赤色用入力ポートＰＲ１〜ＰＲＭにおいて、赤色用入力ポートの抵抗と、赤色用入力ポートに寄生する他の配線との交差面積に基づいた容量とからなるインピーダンスである。緑色用データ入力ポートインピーダンスＺＳＰＧは、各緑色用入力ポートＰＧ１〜ＰＧＭにおいて、緑色用入力ポートの抵抗と、緑色用入力ポートに寄生する他の配線との交差面積に基づいた容量とからなるインピーダンスである。青色用データ入力ポートインピーダンスＺＳＰＢは、各青色用入力ポートＰＢ１〜ＰＢＭにおいて、青色用入力ポートの抵抗と、青色用入力ポートに寄生する他の配線との交差面積に基づいた容量とからなるインピーダンスである。
【００５５】
赤色用電源入力ポートインピーダンスＺＶＲＩは、赤色用電源入力ポートＩＲにおける、該入力ポートＩＲの抵抗と、該入力ポートＩＲに寄生する他の配線との交差面積に基づいた容量よりなるインピーダンスである。緑色用電源入力ポートインピーダンスＺＶＧＩは、緑色用電源入力ポートＩＧにおける、該入力ポートＩＧの抵抗と、該入力ポートＩＧに寄生する他の配線との交差面積に基づいた容量とからなるインピーダンスである。青色用電源入力ポートインピーダンスＺＶＢＩは、青色用電源入力ポートＩＢにおける、該入力ポートＩＢの抵抗と、該入力ポートＩＢに寄生する他の配線との交差面積に基づいた容量とからなるインピーダンスである。
【００５６】
そして、本実施形態では、赤色用データ線ＸＲ１〜ＸＲＭと青色用データ線ＸＢ１〜ＸＢＭとが同じ配線幅及び材料で構成されている。また、赤色用データ線ＸＲ１〜ＸＲＭの配線長と青色用データ線ＸＢ１〜ＸＢＭの配線長とはほぼ等しい。これにより、画素内赤色用データ線インピーダンスＺＳＲと画素内青色用データ線インピーダンスＺＳＢとが等しい大きさになっている。
【００５７】
また、赤色用データ入力ポートＰＲ１〜ＰＲＭと青色用データ入力ポートＰＢ１〜ＰＢＭが同じ材料で構成されている。これにより、赤色用データ入力ポートインピーダンスＺＳＲＰと青色用データ入力ポートインピーダンスＺＳＰＢとが等しい大きさになっている。
【００５８】
従って、赤色用データ入力ポートＰＲ１〜ＰＲＭから対応する赤用サブピクセル５Ｒ１〜５ＲＭをみたインピーダンスは、青色用データ入力ポートＰＢ１〜ＰＢＭから対応する第１〜第Ｍ青用サブピクセル５Ｂ１〜５ＢＭをみたインピーダンスと等しい。
【００５９】
また、本実施形態では、赤色用電源線ＣＲ１〜ＣＲＭと青色用電源線ＣＢ１〜ＣＢＭとが同じ配線幅及び材料で構成されている。また、第１〜第Ｍ赤色用電源線ＣＲ１〜ＣＲＭの配線長と第１〜第Ｍ青色用電源線ＣＢ１〜ＣＢＭの配線長とはほぼ等しい。これにより、画素内赤色用電源線インピーダンスＺＶＲと画素内青色用電源線インピーダンスＺＶＢとが等しい大きさになっている。
【００６０】
さらに、赤色用電源供給線ＬＲと青色用電源供給線ＬＢとが同じ配線幅及び材料で構成されている。これにより、周辺赤色用電源線インピーダンスＺＶＲＬと周辺青色用電源線インピーダンスＺＶＢＬとが等しい大きさになっている。また、赤色用電源入力ポートＩＲと青色用電源入力ポートＩＢとが同じ材料で構成されている。これにより、赤色用電源入力ポートインピーダンスＺＶＲＩと青色用電源入力ポートインピーダンスＺＶＢＩとが
等しい大きさになっている。従って、赤色用電源入力ポートＩＲから各列のサブピクセルをみたインピーダンスは、青色用電源入力ポートＩＢから各列のサブピクセルをみたインピーダンスと等しい。
【００６１】
つまり、本実施形態の有機ＥＬディスプレイ１は、その表示パネル部２上の各赤色サブピクセル５Ｒを駆動させるための電気的回路構成が、各青色サブピクセル５Ｇを駆動させるための電気的回路構成と等価である。
【００６２】
次に、このように構成された有機ＥＬディスプレイ１の作用について図２及び図５に従って説明する。
図２に示した表示パネル部２は、前記したように、その各赤色用データ入力ポートＰＲ１〜ＰＲＭから対応する赤用サブピクセル５Ｒ１〜５ＲＭの入力インピーダンスが、各青色用データ入力ポートＰＢ１〜ＰＢＭから対応する青用サブピクセル５Ｂ１〜５ＢＭの入力インピーダンスに等しい。また、赤色用電源入力ポートＩＲから各赤色サブピクセル５Ｒ１〜５ＲＭをみた入力インピーダンスが、青色用電源入力ポートＩＢから各青色サブピクセル５Ｂ１〜５ＢＭをみた入力インピーダンスに等しい。
【００６３】
従って、赤、緑及び青色サブピクセル５Ｒ，５Ｇ，５Ｂのうち、赤色サブピクセル５Ｒと青色サブピクセル５Ｇとの配置位置が入れ替わった構造を成した表示パネル部を、前記表示パネル部２と同じレイアウトで実現することができる。
【００６４】
詳しくは、表示パネル部を製造する際に、赤色の光を出射する有機ＥＬ素子ＯＬＥＤを図２に示した各青色サブピクセル５Ｂ１〜５ＢＭ内の青色の光を出射する有機ＥＬ素子ＯＬＥＤが配置された位置に形成する。そして、青色の光を出射する有機ＥＬ素子ＯＬＥＤを図２に示した各赤色サブピクセル５Ｒ１〜５ＲＭ内の赤色の光を出射する有機ＥＬ素子ＯＬＥＤが配置された位置に形成する。
【００６５】
また、この状態で、図２中の各赤色用データ入力ポートＰＲ１〜ＰＲＭの各々に、対応する青色用データ信号ＤＢ１〜ＤＢＭをそれぞれ入力する。つまり、図２中の赤色用データ入力ポートＰＲ１〜ＰＲＭを青色用データ入力ポートＰＢ１〜ＰＢＭとして使用する。
【００６６】
さらに、この状態で、図２中の赤色用電源入力ポートＩＲに、青色用電源ＶＢを入力する。つまり、図２中の赤色用電源入力ポートＩＲを青色用電源入力ポートＩＢとして使用する。これにより、図２中の赤色用電源供給線ＬＲ及び第１〜第Ｍ赤色用電源線ＣＲ１〜ＣＲＭに青色用電源ＶＢが供給される。つまり、図２中の赤色用電源供給線ＬＲ及び第１〜第Ｍ赤色用電源線ＣＲ１〜ＣＲＭが、それぞれ青色用電源供給線ＬＢ及び第１〜第Ｍ青色用電源線ＣＢ１〜ＣＢＭとして使用されることとなる。
【００６７】
図５は、図２に示した表示パネル部２の赤色サブピクセル５Ｒと青色サブピクセル５Ｇとの配置位置が入れ替わった構造を成した表示パネル部の上面図である。
図５に示す表示パネル部２ａでは、その表示エリアＲを非表示エリアＱより上側（図５中反Ｙ矢印方向側）になるように配置した状態で、赤、緑及び青色サブピクセル５Ｒ，５Ｇ，５Ｂを、図５中左側部側から右側部側に向かって、つまり、行方向（図５中Ｘ矢印方向）に、第１青色サブピクセル５Ｂ１→第１緑色サブピクセル５Ｇ１→第１赤色サブピクセル５Ｒ１→第２青色サブピクセル５Ｂ２→第２緑色サブピクセル５Ｇ２→第２赤色サブピクセル５Ｒ２→・・・→第Ｍ青色サブピクセル５ＢＭ→第Ｍ緑色サブピクセル５ＧＭ→第Ｍ赤色サブピクセル５ＲＭの順序になるように配置されている。
【００６８】
また、図５に示すように、図５中Ｙ矢印方向に、同色サブピクセル５Ｒ，５Ｇ，５Ｂが配置されている。
そして、赤色の光を出射する有機ＥＬ素子ＯＬＥＤの発光層を構成する材料の特性が、青色の光を出射する有機ＥＬ素子ＯＬＥＤの発光層を構成する材料の特性と等しい場合、表示パネル部２ａは、前記表示パネル部２と同様に、その表示エリアＲ上に赤、緑及び青色用データ信号ＤＲ１〜ＤＲＭ，ＤＧ１〜ＤＧＭ，ＤＢ１〜ＤＢＭに応じた画像を表示することが可能となる。
【００６９】
この結果、従来では、赤色サブピクセル５Ｒと青色サブピクセル５Ｂとの配列順序が異なった構造を有した有機ＥＬディスプレイを製造する場合、それぞれ、赤色サブピクセル５Ｒと青色サブピクセル５Ｂとの配列順序に対応した回路を別々に設計する必要があった。これに対して、上記構造を成した有機ＥＬディスプレイ１では、赤色サブピクセル５Ｒと青色サブピクセル５Ｂとの配列順序が入れ替わった構造を成した同じレイアウトで設計することができる。従って、有機ＥＬディスプレイの製造コストを低減させることができる。
【００７０】
尚、特許請求の範囲の電源線は、例えば、本実施形態においては赤、緑及び青色用電源線ＣＲ１〜ＣＲＭ，ＣＧ１〜ＣＧＭ，ＣＢ１〜ＣＢＭに対応している。特許請求の範囲の輝度データは、例えば、本実施形態においては赤、緑及び青色用データ信号ＤＲ１〜ＤＲＭ，ＤＧ１〜ＤＧＭ，ＤＢ１〜ＤＢＭに対応している。特許請求の範囲の電源入力端子は、例えば、本実施形態においては赤、緑及び青色用電源入力ポートＩＲ，ＩＧ，ＩＢに対応している。
【００７１】
また、特許請求の範囲の周囲部配線は、例えば、本実施形態においては赤、緑及び青色用電源供給線ＬＲ，ＬＧ，ＬＢに対応している。特許請求の範囲のデータ入力端子は、例えば、本実施形態においては第１〜第Ｍ赤、緑及び青色用データ入力ポートＰＲ１〜ＰＲＭ，ＰＧ１〜ＰＧＭ，ＰＢ１〜ＰＢＭに対応している。特許請求の範囲の電源は、例えば、本実施形態においては赤、緑及び青色用電源ＶＲ，ＶＧ，ＶＢに対応している。特許請求の範囲のデータ線は、例えば、本実施形態においては赤、緑及び青色用データ線ＸＲ１〜ＸＲＭ，ＸＧ１〜ＸＧＭ，ＸＢ１〜ＸＢＭに対応している。
【００７２】
さらに、特許請求の範囲の表示装置は、例えば、本実施形態においては有機ＥＬディスプレイ１に対応している。特許請求の範囲の表示パネルは、例えば、本実施形態においては表示パネル部２，２ａに対応している。尚、特許請求の範囲の画素は、例えば、本実施形態においては赤、緑及び青色サブピクセル５Ｒ，５Ｇ，５Ｂに対応している。
【００７３】
前記実施形態によれば、以下のような特徴を得ることができる。
（１）本実施形態では、各赤色用データ入力ポートＰＲ１〜ＰＲＭから対応する赤用サブピクセル５Ｒ１〜５ＲＭをみた入力インピーダンスを、各青色用データ入力ポートＰＢ１〜ＰＢＭから対応する青用サブピクセル５Ｂ１〜５ＢＭをみた入力インピーダンスと等しくなるようにした。また、赤色用電源入力ポートＩＲから各赤用サブピクセル５Ｒ１〜５ＲＭをみた入力インピーダンスを、青色用電源入力ポートＩＢから各青用サブピクセル５Ｂ１〜５ＢＭからみた入力インピーダンスと等しくなるようにした。
【００７４】
従って、赤、緑及び青色サブピクセル５Ｒ，５Ｇ，５Ｂのうち、赤色サブピクセル５Ｒと青色サブピクセル５Ｇとの配置位置が入れ替わった構造を成した表示パネル部２，２ａを同じレイアウトで実現することができる。
【００７５】
（第２実施形態）
次に、本発明を具体化した第２実施形態を図６及び図７に従って説明する。この第２実施形態の有機ＥＬディスプレイは、上記第１実施形態の有機ＥＬディスプレイ１の表示パネル部２と、その赤色サブピクセル５Ｒと青色サブピクセル５Ｂの配置位置が異なった表
示パネル部２ａとを張り合わされて１枚の大型のフルカラー表示可能な有機ディスプレイである。
【００７６】
図６は、本実施形態の有機ＥＬディスプレイの表示パネル部２ｂの上面図である。図６に示すように、表示パネル部２ｂは、４枚の第１〜第４表示パネル部Ａ，Ｂ，Ｃ，Ｄを張り合わされて構成されている。即ち、第１及び第２表示パネル部Ａ，Ｂはそれぞれ表示エリアＲを非表示エリアＱより図６中上側になるように配置され、第３及び第４表示パネル部Ｃ，Ｄはそれぞれ表示エリアＲを非表示エリアＱより図６中下側になるように配置されている。そして、図６に示すように、第４表示パネル部Ｄを点Ｐにて第１表示パネル部Ａと対称になるように配置し、第３表示パネル部Ｃを点Ｐにて第２表示パネル部Ｂと対称になるように配置する。
【００７７】
第１表示パネル部Ａは、上記第１実施形態の表示パネル部２（図２参照）と同じレイアウトの表示パネル部である。詳しくは、図７（ａ）に示すように、第１表示パネル部Ａは、その表示エリアＲを非表示エリアＱより図７中上側になるように配置された状態で、図７中左側部側から右側部側に向かって行方向（図７中Ｘ矢印方向）に、第１赤色サブピクセル５Ｒ１→第１緑色サブピクセル５Ｇ１→第１青色サブピクセル５Ｂ１→第２赤色サブピクセル５Ｒ２→第２緑色サブピクセル５Ｇ２→第２青色サブピクセル５Ｂ２→・・・→第Ｍ赤色サブピクセル５ＲＭ→第Ｍ緑色サブピクセル５ＧＭ→第Ｍ青色サブピクセル５ＢＭの順序になるように配置されている。
【００７８】
また、第１表示パネル部Ａは、図７（ａ）に示すように、表示パネル部２（図２参照）の上側部の行方向に形成された赤、緑及び青色サブピクセル５Ｒ，５Ｇ，５Ｂより上側の領域にある各色サブピクセル５Ｒ，５Ｇ，５Ｂが形成されていない領域（図７（ａ）中斜線で示された領域）が切り取られた構造を成している。また、表示パネル部２（図２参照）の右側部の列方向に形成された青色サブピクセル５Ｂより右側の領域にある各色サブピクセル５Ｒ，５Ｇ，５Ｂが形成されていない領域（図７（ａ）中斜線で示された領域）が切り取られた構造を成している。
【００７９】
第４表示パネル部Ｄは、上記第１実施形態の表示パネル部２ａ（図５参照）と同じレイアウトの表示パネル部である。詳しくは、図７（ｂ）に示すように、第４表示パネル部Ｄは、その表示エリアＲを非表示エリアＱより図７中上側になるように配置された状態で、図７中左側部側から右側部側に向かって行方向（図７中Ｘ矢印方向）に、第１青色サブピクセル５Ｂ１→第１緑色サブピクセル５Ｇ１→第１赤色サブピクセル５Ｒ１→第２青色サブピクセル５Ｂ２→第２緑色サブピクセル５Ｇ２→第２赤色サブピクセル５Ｒ２→・・・→第Ｍ青色サブピクセル５ＢＭ→第Ｍ緑色サブピクセル５ＧＭ→第Ｍ赤色サブピクセル５ＲＭの順序になるように配置されている。
【００８０】
つまり、第４表示パネル部Ｄは、その赤色サブピクセル５Ｒと青色サブピクセル５Ｂの配置位置が第１表示パネル部Ａと入れ替わった構成である。
そして、第４表示パネル部Ｄは、図７（ｂ）に示すように、図５に示す表示パネル部２ａの上側部の行に沿って形成された赤、緑及び青色サブピクセル５Ｒ，５Ｇ，５Ｂより上側の領域にある各色サブピクセル５Ｒ，５Ｇ，５Ｂが形成されていない領域（図７（ｂ）中斜線で示された領域）が切り取られた構造を成している。また、第４表示パネル部Ｄは、図７（ｂ）に示すように、図５に示す表示パネル部２ａの右側部の列に沿って形成された赤色サブピクセル５Ｒより左側の領域にある各色サブピクセル５Ｒ，５Ｇ，５Ｂが形成されていない領域（図７（ｂ）中斜線で示された領域）が切り取られた構造を成している。
【００８１】
従って、第１表示パネル部Ａと第４表示パネル部Ｄとを同じレイアウトで構成すること
ができる。
第２表示パネル部Ｂは、その各電源供給線ＬＲ，ＬＧ，ＬＢが、図６に示すように表示エリアＲを非表示エリアＱより上側（図６中反Ｙ矢印方向側）になるように配置した状態で、赤、緑及び青色用電源入力ポートＩＲ，ＩＧ，ＩＢが各電源供給線ＬＲ，ＬＧ，ＬＢの右側端部に設けられた表示パネル部である。
【００８２】
また、第２表示パネル部Ｂは、図６中左側部側から右側部側に向かって行方向（図６中Ｘ矢印方向）に、第１赤色サブピクセル５Ｒ１→第１緑色サブピクセル５Ｇ１→第１青色サブピクセル５Ｂ１→第２赤色サブピクセル５Ｒ２→第２緑色サブピクセル５Ｇ２→第２青色サブピクセル５Ｂ２→・・・→第Ｍ赤色サブピクセル５ＲＭ→第Ｍ緑色サブピクセル５ＧＭ→第Ｍ青色サブピクセル５ＢＭの順序になるように配置されている。
【００８３】
一方、第３表示パネル部Ｃは、その赤、緑及び青色用電源入力ポートＩＲ，ＩＧ，ＩＢが設けられた位置が第２表示パネル部Ｂと同様に、表示エリアＲを非表示エリアＱより上側（図６中Ｙ矢印方向側）になるように配置した状態で、各電源供給線ＬＲ，ＬＧ，ＬＢの右側端部に設けられた表示パネル部である。また、第３表示パネル部Ｃは、その赤色サブピクセル５Ｒと青色サブピクセル５Ｂの配置位置が第２表示パネル部Ｂと入れ替わった構成である。
【００８４】
従って、第２表示パネル部Ｂと第３表示パネル部Ｃとを同じレイアウトで構成することができる。
このようにすることで、４枚の表示パネル部Ａ，Ｂ，Ｃ，Ｄを張り合わせて１枚の大型のフルカラー表示可能な有機ＥＬディスプレイを製造する場合、従来では、４通りのレイアウトを別々に設計する必要があった。これに対して、上記構造を有した有機ＥＬディスプレイ１では、赤色サブピクセル５Ｒと青色サブピクセル５Ｂとの配列順序が異なった構造を有した有機ＥＬディスプレイを同じレイアウトで設計することができる。これにより、電源入力ポートの配置位置のみを考慮した２通りのレイアウトを設計するのみでよい。従って、有機ＥＬディスプレイの製造コストを低減させることができる。
【００８５】
また、第１表示パネル部Ａと第４表示パネル部Ｄとの構造を共通化できるため、第１表示パネル部Ａと第４表示パネル部Ｄとの表示特性が均一になる。同様に、第２表示パネル部Ｂと第３表示パネル部Ｃとの構造を共通化できるため、第２表示パネル部Ｂと第３表示パネル部Ｃとの表示特性が均一になる。
【００８６】
従って、第１表示パネル部Ａの表示エリアＲ上に表示される画像と、第４表示パネル部Ｄの表示エリアＲ上に表示される画像とに、例えば、輝度に差が生じない。また、第２表示パネル部Ｂの表示エリアＲ上に表示される画像と、第３表示パネル部Ｃの表示エリアＲ上に表示される画像とに、例えば、輝度に差が生じない。この結果、高表示品位な画像を表示させることが可能となる。
【００８７】
尚、特許請求の範囲の表示パネルは、例えば、本実施形態においては、第１表示パネル部Ａ、第２表示パネル部Ｂ、第３表示パネル部Ｃ、第４表示パネル部Ｄに対応している。
前記実施形態によれば、以下のような特徴を得ることができる。
（１）本実施形態では、４枚の表示パネル部Ａ〜Ｄを張り合わせて構成された大型の表示パネル部を備えた有機ＥＬディスプレイにおいて、その表示パネル部の中心に位置する点Ｐにて対称に位置する第１表示パネル部Ａと第４表示パネル部Ｄとを同じレイアウトで構成した。また、点Ｐにて対称に位置する第２表示パネル部Ｂと第３表示パネル部Ｃとを同じレイアウトで構成した。これにより、電源入力ポートの配置位置のみを考慮した２通りのレイアウトを設計するのみでよい。従って、有機ＥＬディスプレイの製造コストを低減させることができる。
（２）本実施形態では、第１表示パネル部Ａと第４表示パネル部Ｄとを同じレイアウトで構成したので、第１表示パネル部Ａと第４表示パネル部Ｄとの構造を共通化できる。従って、第１表示パネル部Ａを備えた有機ＥＬディスプレイと第４表示パネル部Ｄとの表示特性が均一にすることができる。同様に、第２表示パネル部Ｂと第３表示パネル部Ｃとを同じレイアウトで構成したので、第２表示パネル部Ｂと第３表示パネル部Ｃとの構造を共通化できる。従って、第２表示パネル部Ｂを備えた有機ＥＬディスプレイと第３表示パネル部Ｃとの表示特性を均一にすることができる。
【００８８】
この結果、第１表示パネル部Ａと第４表示パネル部Ｄとの間、第２表示パネル部Ｂと第３表示パネル部Ｃとの間で、例えば、輝度に差が生じないので、高表示品位な画像を表示させることが可能となる。
【００８９】
（第３実施形態）
次に、本発明を具体化した第３実施形態を図８及び図９に従って説明する。この第３実施形態の有機ＥＬディスプレイは、上記第１実施形態の有機ＥＬディスプレイ１の表示パネル部２と、その赤色サブピクセル５Ｒと青色サブピクセル５Ｂの配置位置が異なった表示パネル部２ａとを２枚張り合わされて１枚の大型のフルカラー表示可能な有機ディスプレイである。
【００９０】
図８は、本実施形態の有機ＥＬディスプレイの表示パネル部２ｂの上面図である。図８に示すように、表示パネル部２ｃは、第５表示パネル部Ｅと第６表示パネル部Ｆとを張り合わされて構成されている。
【００９１】
第５表示パネル部Ｅは、図９（ａ）に示すように、その表示エリアＲを非表示エリアＱより図９中上側になるように配置された状態で、図９中左側部側から右側部側に向かって行方向（図９中Ｘ矢印方向）に、第１赤色サブピクセル５Ｒ１→第１緑色サブピクセル５Ｇ１→第１青色サブピクセル５Ｂ１→第２赤色サブピクセル５Ｒ２→第２緑色サブピクセル５Ｇ２→第２青色サブピクセル５Ｂ２→・・・の順序になるように配置されている。
【００９２】
そして、第５表示パネル部Ｅは、図９（ａ）に示すように、図２に示す表示パネル部２の上側端部の行に沿って形成された赤、緑及び青色サブピクセル５Ｒ，５Ｇ，５Ｂより上側の各色サブピクセル５Ｒ，５Ｇ，５Ｂが形成されていない領域（図９（ａ）中斜線で示された領域）が切り取られた構造を成している。
【００９３】
従って、この第５表示パネル部Ｅは、図２に示した表示パネル部２と同じレイアウトを有している。
第６表示パネル部Ｆは、図９（ｂ）に示すように、その表示エリアＲを非表示エリアＱより図９中上側になるように配置された状態で、図９中左側部側から右側部側に向かって行方向（図９中Ｘ矢印方向）に、第１青色サブピクセル５Ｂ１→第１緑色サブピクセル５Ｇ１→第１赤色サブピクセル５Ｒ１→第２青色サブピクセル５Ｂ２→第２緑色サブピクセル５Ｇ２→第２赤色サブピクセル５Ｒ２→・・・の順序になるように配置されている。
【００９４】
そして、第６表示パネル部Ｆは、図９（ｂ）に示すように、その表示パネル部２の上側端部の行に沿って形成された赤、緑及び青色サブピクセル５Ｒ，５Ｇ，５Ｂより上側の各色サブピクセル５Ｒ，５Ｇ，５Ｂが形成されていない領域（図９（ｂ）中斜線で示された領域）が切り取られた構造を成している。
【００９５】
従って、この第６表示パネル部Ｆは第５表示パネル部Ｅとその赤色サブピクセル５Ｒと青色サブピクセル５Ｂの配置位置が第５表示パネル部Ｅと入れ替わった構成である。
そして、第５表示パネル部Ｅ及び第６表示パネル部Ｆ上の各赤色サブピクセル５Ｒを駆
動させるための電気的回路構成と、各青色サブピクセル５Ｇを駆動させるための電気的回路構成とは等価である。この結果、第５表示パネル部Ｅと第６表示パネル部Ｆとを同じレイアウトで構成することができる。
【００９６】
このようにすることで、２枚の表示パネル部Ｅ，Ｆを張り合わせて１枚の大型のフルカラー表示可能な有機ＥＬディスプレイを製造する場合、従来では、２通りのレイアウトを別々に設計する必要があった。これに対して、上記構造を有した有機ＥＬディスプレイ１では、赤色サブピクセル５Ｒと青色サブピクセル５Ｂとの配列順序が異なった構造を有した有機ＥＬディスプレイを同じレイアウトで設計することができるので、１種類のレイアウトで実現することができる。従って、有機ＥＬディスプレイの製造コストを低減させることができる。
【００９７】
また、第５表示パネル部Ｅと第６表示パネル部Ｆとの構造を共通化できるため、第５表示パネル部Ｅとの表示特性と第６表示パネル部Ｆとの表示特性が均一になる。従って、第５表示パネル部Ｅの表示エリアＲ上に表示される画像と、第６表示パネル部Ｆの表示エリアＲ上に表示される画像とに、例えば、輝度に差が生じないので、高表示品位な画像を表示させることが可能となる。
【００９８】
尚、特許請求の範囲の表示パネルは、例えば、本実施形態においては第５表示パネル部Ｅまたは第６表示パネル部Ｆに対応している。
前記実施形態によれば、以下のような特徴を得ることができる。
（１）本実施形態では、２枚の表示パネル部Ｅ，Ｆを張り合わせて構成された大型の表示パネル部を備えた有機ＥＬディスプレイにおいて、第５表示パネル部Ｅと第６表示パネル部Ｆとを同じレイアウトで構成した。これにより、各表示パネル部Ｅ，Ｆを共通のレイアウトで設計するのみでよい。従って、有機ＥＬディスプレイの製造コストを低減させることができる。
（２）本実施形態では、また、第５表示パネル部Ｅと第６表示パネル部Ｆとの構造を共通化できるため、第５表示パネル部Ｅとの表示特性と第６表示パネル部Ｆとの表示特性が均一になる。従って、第５表示パネル部Ｅの表示エリアＲ上に表示される画像と、第６表示パネル部Ｆの表示エリアＲ上に表示される画像とに、例えば、輝度に差が生じないので、高表示品位な画像を表示させることが可能となる。
（第４実施形態）
次に、第１〜第３実施形態で説明した表示装置としての有機ＥＬディスプレイの電子機器の適用について図１０に従って説明する。
【００９９】
図１０は、電子機器の一例たる携帯電話の表示部に適用した例を示す携帯電話の斜視構成図である。この携帯電話６０は、上記第１〜第３実施形態で説明した各有機ＥＬディスプレイ１を用いた表示ユニット６１と、複数の操作ボタン６２とを備えている。この場合でも、表示ユニット６１は、前記と同様な効果を発揮する。従って、そのサブピクセルの配列順序が異なってもその配列順序に対応してレイアウトを別々に設計する必要がない携帯電話６０を提供することができる。
【０１００】
尚、発明の実施形態は、上記実施形態に限定されるものではなく、以下のように実施してもよい。
○上記第１実施形態では、各赤色用データ入力ポートＰＲ１〜ＰＲＭから対応する赤色サブピクセル５Ｒ１〜５ＲＭの入力インピーダンスを、青色用データ入力ポートＰＢ１〜ＰＢＭから対応する青色サブピクセル５Ｂ１〜５ＢＭの入力インピーダンスに等しくなるようにした。また、赤色用電源入力ポートＩＲから各赤色サブピクセル５Ｒ１〜５ＲＭをみた入力インピーダンスを、青色用電源入力ポートＩＢから各青色サブピクセル５Ｂ１〜５ＢＭをみた入力インピーダンスに等しくなるようにした。そして、これにより、赤、緑
及び青色サブピクセル５Ｒ，５Ｇ，５Ｂのうち、赤色サブピクセル５Ｒと青色サブピクセル５Ｇとの配置位置が入れ替わった構造を成した表示パネル部２，２ａを同じレイアウトで実現するようにした。
【０１０１】
これを、他の色サブピクセル５Ｒ，５Ｇ，５Ｂ間で、その配置位置が互いに入れ替わった構造を成した表示パネル部を同じレイアウトで実現するようにしてもよい。
たとえば赤色用データ入力ポートＰＲ１〜ＰＲＭから対応する赤色サブピクセル５Ｒ１〜５ＲＭの入力インピーダンスを、緑色用データ入力ポートＰＧ１〜ＰＧＭから対応する緑色サブピクセル５Ｇ１〜５ＧＭをみた入力インピーダンスに等しくなるようにする。また、赤色用電源入力ポートＩＲから各赤色サブピクセル５Ｒ１〜５ＲＭをみた入力インピーダンスを、緑色用電源入力ポートＩＧから各緑色サブピクセル５Ｇ１〜５ＧＭをみた入力インピーダンスに等しくなるようにする。これにより、赤、緑及び青色サブピクセル５Ｒ，５Ｇ，５Ｂのうち、赤色サブピクセル５Ｒと緑色サブピクセル５Ｇとの配置位置が入れ替わった構造を成した表示パネル部を同じレイアウトで実現することができる。
【０１０２】
○上記実施形態では、赤色用電源入力ポートＩＲから各赤用サブピクセル５Ｒ１〜５ＲＭをみた入力インピーダンスと、青色用電源入力ポートＩＢから各青用サブピクセル５Ｂ１〜５ＢＭをみた入力インピーダンスとが等しくなるようにした。これを、赤色用電源入力ポートＩＲから各赤用サブピクセル５Ｒ１〜５ＲＭをみた入力インピーダンス、緑色用電源入力ポートＩＧから各緑色サブピクセル５Ｇ１〜５ＧＭをみた入力インピーダンス、青色用電源入力ポートＩＢから各青色サブピクセル５Ｂ１〜５ＢＭをみた入力インピーダンスとが全て等しくなるようにしてもよい。このようにすることで、どの赤、緑及び青色サブピクセル５Ｒ，５Ｇ，５Ｂの配列順序を入れ替えてもよい有機ＥＬディスプレイを実現することができる。
【０１０３】
○上記実施形態では、ピクセル５は、赤、緑及び青色サブピクセル５Ｒ，５Ｇ，５Ｂで構成されていたが、赤、緑及び青色サブピクセル５Ｒ，５Ｇ，５Ｂ以外の色のサブピクセルで構成されたものであってもよい。
【０１０４】
○上記実施形態では、表示装置を、有機ＥＬ素子ＯＬＥＤを備えた有機ＥＬディスプレイ１に適用させたが、有機ＥＬディスプレイ１以外の、例えばＬＥＤやＦＥＤを備えた表示装置に適用させてもよい。それにより、同様な効果を得ることができる。
【０１０５】
○上記実施形態では、赤及び青色用の各データ線ＸＲ１〜ＸＲＭ，ＸＢ１〜ＸＢＭ、電源線ＣＲ１〜ＣＲＭ，ＣＢ１〜ＣＢＭ、電源供給線ＬＲ，ＬＢ同士の配線幅及び材料を同じにした。そして、赤色用電源入力ポートＩＲからの各第１〜第Ｍ赤用サブピクセル５Ｒ１〜５ＲＭの入力インピーダンスと、青色用電源入力ポートＩＢからの各第１〜第Ｍ青用サブピクセル５Ｂ１〜５ＢＭの入力インピーダンスとを等しくなるようにした。これを、他の方法で、赤色用電源入力ポートＩＲからの各第１〜第Ｍ赤用サブピクセル５Ｒ１〜５ＲＭの入力インピーダンスと、青色用電源入力ポートＩＢからの各第１〜第Ｍ青用サブピクセル５Ｂ１〜５ＢＭの入力インピーダンスとを等しくするようにしてもよい。例えば、赤色用データ線ＸＲ１〜ＸＲＭの配線幅を、青色用データ線ＸＢ１〜ＸＢＭの配線幅より大きくし、その分、青色用データ線ＸＢ１〜ＸＢＭを構成する材料を、赤色用データ線ＸＲ１〜ＸＲＭを構成する材料より高い導電率を有したもので構成する。また、赤色用電源線ＣＲ１〜ＣＲＭの配線幅を、青色用電源線ＣＢ１〜ＣＢＭの配線幅より大きくし、その分、青色用電源線ＣＢ１〜ＣＢＭを構成する材料を、赤色用電源線ＣＲ１〜ＣＲＭを構成する材料より高い導電率を有したもので構成する。さらに、赤色用電源供給線ＬＲの配線幅を、青色用電源供給線ＬＢの配線幅より大きくし、その分、青色用電源供給線ＬＢを構成する材料を、赤色用電源供給線ＬＲを構成する材料より高い導電率を有したもので構成する。このようにすることで、上記実施形態と同様な効果を得ることができる。
【０１０６】
○上記第１実施形態では、各サブピクセル５Ｒ，５Ｇ，５Ｂは、それぞれ、有機ＥＬ素子ＯＬＥＤ、駆動トランジスタＱｄ、スイッチングトランジスタＱｓｗ及び保持キャパシタＣｏで構成された画素回路であったが、これに限定されるものではなく、他の構成を有した画素回路であってもよい。
【図面の簡単な説明】
【０１０７】
【図１】有機ＥＬディスプレイの全体構成を説明するための図である。
【図２】第１実施形態の表示パネル部の電気的構成を説明するための図である。
【図３】画素回路の回路図である。
【図４】表示パネル部の電気的等価回路図である。
【図５】第１実施形態の有機ＥＬディスプレイの作用を説明するための図である。
【図６】第２実施形態の有機ＥＬディスプレイの表示パネル部の上面図である。
【図７】（ａ）は、第１表示パネル部の上面図であり、（ｂ）は、第４表示パネル部の上面図である。
【図８】第３実施形態の有機ＥＬディスプレイの表示パネル部の上面図である
【図９】（ａ）は、第５表示パネル部の上面図であり、（ｂ）は、第６表示パネル部の上面図である。
【図１０】第４実施形態の電子機器の一例としての携帯電話の斜視図である。
【符号の説明】
【０１０８】
ＣＲ１〜ＣＲＭ，ＣＧ１〜ＣＧＭ，ＣＢ１〜ＣＢＭ…電源線としての第１〜第Ｍ赤、緑及び青色用電源線、ＤＲ１〜ＤＲＭ，ＤＧ１〜ＤＧＭ，ＤＢ１〜ＤＢＭ…輝度データとしての第１〜第Ｍ赤、緑及び青色用データ信号、ＩＲ，ＩＧ，ＩＢ…電源入力端子としての赤、緑及び青色用電源入力ポート、ＬＲ，ＬＧ，ＬＢ…周囲部配線としての赤、緑及び青色用電源供給線、ＰＲ１〜ＰＲＭ，ＰＧ１〜ＰＧＭ，ＰＢ１〜ＰＢＭ…データ入力端子としての第１〜第Ｍ赤、緑及び青色用データ入力ポート、ＶＲ，ＶＧ，ＶＢ…電源としての赤、緑及び青色用電源、ＸＲ１〜ＸＲＭ，ＸＧ１〜ＸＧＭ，ＸＢ１〜ＸＢＭ…データ線としての第１〜第Ｍ赤、緑及び青色用データ線、Ｙ（Ｙ１）…走査線、１…表示装置としての有機ＥＬディスプレイ、２，２ａ…表示パネルとしての表示パネル部、Ａ，Ｂ，Ｃ，Ｄ，Ｅ，Ｆ…表示パネルとしての第１〜第５表示パネル部、５Ｒ，５Ｇ，５Ｂ…画素としての赤、緑及び青色サブピクセル、６０…電子機器としての携帯電話。
【図１】
2005331570.tif 000003
【図２】
2005331570.tif 000004
【図３】
2005331570.tif 000005
【図４】
2005331570.tif 000006
【図５】
2005331570.tif 000007
【図６】
2005331570.tif 000008
【図７】
2005331570.tif 000009
【図８】
2005331570.tif 000010
【図９】
2005331570.tif 000011
【図１０】
2005331570.tif 000012